(57)【要約】【課題】搬送中原稿の画像を読み取る画像読取り装置において，複数の画像読取り手段を有効活用して画像読取り手段の稼働率の均等化，原稿画像の両面読取り，及び原稿画像の読取り速度の飛躍的向上を可能とすること。【解決手段】複数の搬送路Ｒ１，Ｒ２と，そのそれぞれを搬送中の原稿の画像を読み取る画像読取り手段７，９と，原稿を搬送路Ｒ１，Ｒ２のいずれに導くかを切替える原稿分岐手段３とを設ける。さらに，第２の画像読取り手段９を移動可能として第１の搬送路Ｒ１を搬送中の原稿のうら面の画像を読み取り可能とする。また，原稿分岐手段３により原稿を２つの搬送路Ｒ１，Ｒ２に順次導いて２つの搬送路それぞれにおいて原稿の画像を並行して読取り可能とする。【選択図】図１
2004289668.tif 000002
【特許請求の範囲】
【請求項１】
原稿を所定の原稿トレイから自動搬送し，搬送中の前記原稿の画像を読み取る画像読取り装置において，
それぞれ並列して設けらた前記原稿を搬送する複数の搬送路と，
前記搬送路ごとに設けられ搬送中の前記原稿の一方の面の画像を読み取る画像読取り手段と，
前記原稿トレイから搬出される前記原稿を前記搬送路のいずれに導くかを切り替える原稿分岐手段と，
を具備してなることを特徴とする画像読取り装置。
【請求項２】
前記原稿分岐手段によって２以上の前記搬送路に前記原稿を順次導くことにより，該２以上の搬送路それぞれにおいて前記原稿の画像を並行して読取り可能に構成されてなる請求項１に記載の画像読取り装置。
【請求項３】
前記画像読取り手段の１又は複数を，他の前記搬送路を搬送中の前記原稿における前記一方の面と反対側の面の画像を読み取る位置に移動させる読取り位置移動手段を具備してなる請求項１又は２のいずれかに記載の画像読取り装置。
【請求項４】
前記読取り位置移動手段による前記画像読取り手段の移動経路に配置され，該画像読取り手段を清掃するクリーニング手段を具備してなる請求項３に記載の画像読取り装置。
【請求項５】
前記読取り位置移動手段による前記画像読取り手段の移動経路に配置され，該画像読取り手段のシェーディング補正に用いるシェーディング板を具備してなる請求項３又は４のいずれかに記載の画像読取り装置。
【請求項６】
前記読取り位置移動手段により移動される前記画像読取り手段が，当該画像読取り装置から取り出し可能な位置へ移動可能に構成されてなる請求項３〜５のいずれかに記載の画像読取り装置。
【発明の詳細な説明】
【０００１】
【発明の属する技術分野】
本発明は，自動搬送中の原稿の画像を読み取る画像読取り装置に関するものである。
【０００２】
【従来の技術】
従来，ＡＤＦ（自動原稿送り装置（シート自動給送部））により原稿を所定の原稿トレイから搬送路に自動搬送し，搬送中の原稿の画像を読み取る画像読取り装置が知られている。さらに，例えば特許文献１に示されるように，搬送中の原稿の両面側それぞれに画像読取り手段を配置し，原稿の両面の画像を並行して読み取れるよう構成されたものも知られている。これにより，１回の原稿の搬送でその原稿の両面から画像を読み取ること（原稿画像の両面読取り）が可能となる。
一方，各種文書の電子データ化が進む中で，画像読取り装置における画像読取り速度の高速化のニーズが高い。
【０００３】
【特許文献１】
特開平１１−６９０８７号公報
【０００４】
【発明が解決しようとする課題】
しかしながら，原稿画像の両面読み取りが可能な画像読取り装置においては，両面読取りが利用される頻度が低い場合も多く，このような場合一方の画像読取り手段（うら面用の画像読取り手段）の稼働率が低くなり効率が悪いという問題点があった。
また，画像の読み取り品質を維持しながら前記画像読取り手段自体の読み取り速度を飛躍的に高速化することは困難であるという問題点もあった。
従って，本発明は上記事情に鑑みてなされたものであり，その目的とするところは，自動搬送中の原稿の画像を読み取る画像読取り装置において，複数の画像読取り手段を有効活用して画像読取り手段の稼働率の均等化，原稿画像の両面読取り，及び原稿画像の読取り速度の飛躍的向上を可能とする画像読取り装置を提供することにある。
【０００５】
【課題を解決するための手段】
上記目的を達成するために本発明は，原稿を所定の原稿トレイから自動搬送し，搬送中の前記原稿の画像を読み取る画像読取り装置において，それぞれ並列して設けらた前記原稿を搬送する複数の搬送路と，前記搬送路ごとに設けられ搬送中の前記原稿の一方の面の画像を読み取る画像読取り手段と，前記原稿トレイから搬出される前記原稿を前記搬送路のいずれに導くかを切り替える原稿分岐手段と，を具備してなることを特徴とする画像読取り装置として構成されるものである。
これにより，複数の画像読取り手段の稼働率の均等化が可能となるとともに，さらに，前記原稿分岐手段によって２以上の前記搬送路に前記原稿を順次導くことにより，該２以上の搬送路それぞれにおいて前記原稿の画像を並行して読取り可能に構成すれば，前記画像読取り手段の数にほぼ比例して飛躍的な画像読取り速度の向上を図ることが可能となる。
【０００６】
また，前記画像読取り手段の１又は複数を，他の前記搬送路を搬送中の前記原稿における前記一方の面と反対側の面の画像を読み取る位置に移動させる読取り位置移動手段を具備するものであれば，必要に応じて，１回の原稿の搬送でその原稿の両面から画像を読み取る両面読取りが可能となる。
【０００７】
また，前記読取り位置移動手段による前記画像読取り手段の移動経路に，該画像読取り手段を清掃するクリーニング手段や，前記画像読取り手段のシェーディング補正に用いるシェーディング板を配置したものも考えられる。
これにより，前記画像読取り手段が移動可能であることを利用して，該画像読取り手段の清掃及びシェーディング補正を行うことが可能となる。
【０００８】
また，前記読取り位置移動手段により移動される前記画像読取り手段が，当該画像読取り装置から取り出し可能な位置へ移動可能に構成されたものも考えられる。
これにより，前記画像読取り手段を取り出してメンテナンスすることが容易となる。
【０００９】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像読取り装置Ｘの概略断面を模式的に表した図，図２は本発明の実施の形態に係る画像読取り装置Ｘが具備する原稿供給手段の概略断面を模式的に表した図，図３は本発明の実施の形態に係る画像読取り装置Ｘが具備する原稿分岐手段の概略断面を模式的に表した図，図４は本発明の実施の形態に係る画像読取り装置Ｘが具備する第２の画像読取り手段の概略断面を模式的に表した図，図５は本発明の実施例に係る画像読取り装置Ｘ１の概略断面を模式的に表した図，図６は本発明の実施例に係る画像読取り装置Ｘ１における第２の画像読取り手段及びその移動機構の概略断面を模式的に表した図である。
【００１０】
まず，図１を用いて，本発明の実施の形態に係る画像読取り装置Ｘの構成について説明する。
原稿Ｓを積載する原稿トレイ１と，該原稿トレイ１から原稿Ｓを排出（装置内へ供給）する原稿供給手段２と，並列して設けられた原稿Ｓの２つの搬送路である第１の搬送路Ｒ１（前記搬送路の一例）及び第２の搬送路Ｒ２（前記副搬送路の一例）と，前記原稿トレイ１から前記原稿供給手段２により搬出される原稿Ｓを前記第１及び第２の搬送路Ｒ１，Ｒ２のいずれに導くかを切り替える原稿分岐手段３と，前記第１及び第２の搬送路Ｒ１，Ｒ２において原稿Ｓを搬送する複数の搬送ローラ４と，前記第１の搬送路Ｒ１を搬送中の原稿Ｓの一方の面（前記原稿トレイ１に載置されたときの上面側，以下，便宜上おもて面という）の画像をガラス板７を介して読み取る第１の画像読取り手段８と，前記第１の搬送路Ｒ１を搬送中の原稿Ｓのうら面（おもて面の反対側（他方）の面）の画像を選択的に読み取れるように反転（移動）可能に構成された第２の画像読取り手段９と，画像が読み取られた原稿Ｓが排出される原稿排出トレイ５と，原稿画像を１枚ずつ手動操作により読み取る際のプラテンガラスの機能を果たす原稿台６とを具備している。
【００１１】
前記第１の画像読取り手段８は，２つの光学系走査ユニットである第１及び第２の走査ユニット８１，８２を具備している。
前記第１の走査ユニット８１は，所定の搬送原稿読取位置Ｐ０に停止した状態で，主走査方向（図１の奥行き方向）に１ラインずつ露光して原稿Ｓからの反射光を前記第２の走査ユニット８２に導くものであり，光源（例えば，ハロゲンランプや蛍光灯などの露光ランプ）８１ａと，原稿Ｓからの反射光を第２の走査ユニット８２に導く第１の反射ミラー８１ｂとを備える。
前記第２の走査ユニット８２は，前記第１の走査ユニット８１に追随して所定の速度（例えば，前記第１の走査ユニット８１の半分の速度）で移動するよう制御され，前記第１の反射ミラー８１ｂからの反射光を前記結像レンズ８３に導く第２及び第３の反射ミラー８２ａ，８２ｂを備える。前記結像レンズ８３は，前記第３の反射ミラー８２ｂからの反射光を，ＣＣＤ８４（Ｃｈａｒｇｅ  Ｃｏｕｐｌｅｄ  Ｄｅｖｉｃｅ）上で結像させるものである。該ＣＣＤ８４は，前記結像レンズ８３からの反射光をアナログの電気信号に変換するものである。なお，この電気信号は，不図示の画像処理部によってデジタルの画像データに変換され，画像メモリに記憶されたり，画像形成装置や外部の機器などに出力される。
前記第２の画像読取り手段９の構成等については後述する。また，前記第１及び第２の画像読取り手段９の配置位置は，図１に示す位置に限るものではないが，読取り画像の品質上，相互に対向配置しないことが望ましい。
【００１２】
本画像読取り装置Ｘは，不図示の操作部からの設定操作により，高速読取りモード及び両面読取りモードの２つのモード選択が可能に構成されている。
前記高速読取りモードとは，前記原稿分岐手段３によって前記第１及び第２の搬送路Ｒ１，Ｒ２それぞれに原稿Ｓを順次導くことにより，前記第１及び第２の搬送路Ｒ１，Ｒ２それぞれにおいて前記第１及び第２の画像読取り手段８，９により原稿Ｓのおもて面の画像を並行して読み取るモードである。これにより，原稿Ｓの片面の画像が，ほぼ同時に（並行して）２枚ずつ読み取られるので，複数毎の原稿Ｓの読み取り（片面の読み取り）を高速に行うことが可能となる。
前記両面読取りモードとは，前記第１の搬送路Ｒ１を搬送中の原稿Ｓについて，そのおもて面を前記第１の画像読取り手段８により読み取り，そのうら面を前記第２の画像読取り手段９により読み取るモードである。これにより，１回の原稿Ｓの搬送で，その両面の画像データを得ることが可能となる。
【００１３】
次に，図２（ａ）〜（ｄ）を用いて，前記原稿供給手段２の構成及び動作について説明する。図２（ａ）〜（ｄ）は，前記原稿供給手段２の概略断面を模式的に表したものである。
前記原稿供給手段２は，図２（ａ）に示すように，２つの回転ローラ２１の回りに回転する無端ベルトであるエア給紙ベルト２２を具備している。該エア給紙ベルト２２は，前記給紙トレイ１上に載置された原稿Ｓの最上面に近接するよう配置されるとともに，ベルトの略全面に渡って複数の孔（不図示）が設けられており，該孔を通して下側（原稿Ｓ側）から上側へ空気が吸引（エア吸引）されるよう構成されている。
以下，図２（ａ）〜（ｄ）により，前記高速読取りモードに設定された場合における前記原稿供給手段２による原稿Ｓの供給動作について説明する。
まず，不図示の制御部から原稿供給指令を受けると，前記エア給紙ベルト２２が原稿Ｓの供給方向に回転するとともに，前記エア給紙ベルト２２の孔を通じてのエア吸引が開始される（図２（ａ）の状態）。これにより，最上面の原稿Ｓ１が前記エア給紙ベルト２２に吸引され，吸引された原稿Ｓが前記エア給紙ベルト２２の回転に従って後段に設けられた１次給紙ローラ２３（ローラ対）に向けて搬送される（図２（ｂ）の状態）。ここで，原稿Ｓの搬送方向（図２の左方向）の下流側かつ前記エア給紙ベルト２２に吸引された原稿Ｓの下側から，該原稿の搬送方向の上流側かつ斜め上方に向けてスリット状のノズル２４から空気が噴射されるよう構成されている。これにより，最上面の原稿Ｓ１に２枚目以降の原稿が静電気等により付着して重送されそうになった場合でも，前記ノズル２４からの噴射空気の作用により，２枚目以降の原稿Ｓが最上面の原稿Ｓ１から引き剥がされるので，原稿Ｓが重送されるのを防止できる。
【００１４】
最上面の原稿Ｓ１の搬送が，前記１次給紙ローラ２３に引き継がれてしばらくすると，該原稿Ｓ１の後端（搬送方向における最下流側の端）側が前記エア給紙ベルト２２の原稿Ｓ側の面の一部しか覆わない状態となるため，解放状態となった前記エア給紙ベルト２２の孔を通じた吸引作用により，最上面から２枚目の原稿Ｓ２が前記最上面の原稿Ｓと一部重なる状態で前記エア給紙ベルト２２に吸引される（図２（ｃ）の状態）。
このようにして吸引された２枚目の原稿Ｓ２も前記エア給紙ベルト２２の回転に従って前記１次給紙ローラ２３に向けて搬送され，該１次給紙ローラ２３に搬送が引き継がれた後に，前記エア給紙ベルト２２の回転と，該ベルト２２の孔を通じたエア吸引とが停止される（図２（ｄ）の状態）。これにより，最上面及び２枚目の原稿Ｓ１，Ｓ２は，その後，前記１次給紙ローラの回転力により搬送される。前記エア給紙ベルト２２の回転及びエア吸引を停止するタイミングは，例えば，前記エア吸引の吸引側の圧力変化（圧力上昇）によって検出する，或いは不図示の操作部から設定された原稿サイズに応じた時間経過を計時する等によって決定すればよい。このような図２（ａ）〜（ｄ）に示す動作を順次繰り返すことにより，２枚ずつの原稿Ｓ１，Ｓ２が一部重なる状態で前記原稿トレイ１から順次搬出される（装置内へ順次供給される）。
もちろん，従来の一般的なピックアップローラ等により原稿Ｓを一部重なることなく１枚ずつ供給（搬出）してもよいが，図２に示した構成及び動作で原稿を供給する場合の方が，１枚ずつ完全に搬出されるのを待つ従来の方法よりも原稿供給に要する時間が短縮される。特に，原稿サイズが大きい場合や，原稿枚数が多い場合等には時間の短縮効果が顕著に表れることになる。
以上のようにして，一部重なる状態で順次搬出された最上面及び２枚目の原稿Ｓ１，Ｓ２は，前記原稿分岐手段３によって前記搬送路Ｒ１及びＲ２それぞれに導かれ，これによって２枚の原稿Ｓ１，Ｓ２の画像が並行して前記第１及び第２の搬送路Ｒ１，Ｒ２において読み取られることになる。この場合における前記原稿分岐手段３の動作については後述する。
一方，前記両面読取りモードに設定されている場合は，図２（ｂ）に示される状態で前記エア給紙ベルト２２の回転及びエア吸引が停止される。この動作が繰り返されることにより，最上面の原稿Ｓ１が１枚ずつ供給されることになる。
【００１５】
次に，図３（ａ），（ｂ）を用いて，前記原稿分岐手段３の構成及び動作について説明する。図３（ａ），（ｂ）は，前記原稿分岐手段３の概略断面を模式的に表した図である。
図３（ａ）に示すように，前記原稿分岐手段３は，前記第１及び第２の搬送路Ｒ１，Ｒ２のそれぞれの入口に設けられた第１及び第２の２次給紙ローラ３３，３４（ローラ対）と，揺動可能に設けられ，前記１次給紙ローラ２３から搬送されてくる原稿Ｓを前記第１及び第２の２次給紙ローラ３３，３４のいずれに導くかを切り替える可動式ガイド板３１と，該可動式ガイド板３１により導かれてくる原稿Ｓをさらに確実に前記第１及び第２の２次給紙ローラ３３，３４（即ち，前記第１及び第２の搬送路Ｒ１，Ｒ２）のいずれかに導くブラシローラ３２とを具備している。
そして，前記高速読取りモードに設定されている場合において，前述したように一部重なる状態で最上面及び２枚目の原稿Ｓ１，Ｓ２が搬送されてくると（前記原稿供給手段２の動作に同期して），まず，図３（ａ）に示すように，前記可動式ガイド板３１が前記第１の搬送路Ｒ１側に揺動するとともに，前記ブラシローラ３２が原稿Ｓ１を前記第１の搬送路Ｒ１側に導く方向に回転（図３では反時計回り）することにより，最上面の原稿Ｓ１は前記第１の搬送路Ｒ１側（前記第１の２次給紙ローラ３３側）へ導かれる。
次に，例えば原稿Ｓ１が前記第１の２次給紙ローラ３３に到達するのに要する一定時間後（或いは，所定の通紙センサで原稿Ｓ１の先端が前記第１の２次給紙ローラ３３に到達したことが検出された時等）に，前記可動式ガイド板３１が前記第２の搬送路Ｒ２側に揺動するとともに，前記ブラシローラ３２が続いて搬送されてくる２枚目の原稿Ｓ２を前記第２の搬送路Ｒ２側に導く方向に反転（図３では時計回り）することにより，２枚目の原稿Ｓ２は前記第２の搬送路Ｒ２側（前記第２の２次給紙ローラ３４側）へ導かれる。これにより，前記第１及び第２の搬送路Ｒ１，Ｒ２それぞれに原稿が順次導かれ，２枚の原稿Ｓ１，Ｓ２の画像が並行して前記第１及び第２の搬送路Ｒ１，Ｒ２において読み取られることになる。
一方，前記両面読取りモードに設定されている場合は，常に図３（ａ）に示される状態で動作することにより，１枚ずつ搬送されてくる原稿Ｓが前記第１の搬送路Ｒ１側へ導かれる。
【００１６】
次に，図４を用いて，前記第２の画像読取り手段９の構成及び動作について説明する。図４は，前記第２の画像読取り手段の概略断面を模式的に表したものである。
図４に示すように，前記第２の画像読取り手段９は，コンタクトガラス９４とアレー状に形成された光源９１，結像レンズ９２，及びＣＣＤ９３とが一体となったＣＩＳ（Ｃｏｎｔａｃｔ  Ｉｍａｇｅ  Ｓｅｎｓｏｒ）からなり，原稿Ｓの案内手段である２つのガイド板９ａ，９ｂとともに第２の画像読取りユニット９０を構成している。この原稿Ｓの案内手段は，例えば，ガイドローラ等の他の手段により構成することも考えられる。
また，前記第２の画像読取り手段９は，前記第２の画像読取りユニット９０内で，不図示のステッピングモータ等の駆動源によって所定の回転軸９５の回りに回転可能であり，前記ガイド板９ａ，９ｂそれぞれに向かう方向Ｖ１，Ｖ２に停止可能に構成されている（前記読取り位置移動手段の一例）。そして，前記第２の画像読取りユニット９０は，前記第１の搬送路Ｒ１と前記第１のガイド板９ａ及びＶ１方向へ向けた前記コンタクトガラス９４の隙間（原稿の通路）とが合致し，前記第２の搬送路Ｒ２と前記第２のガイド板９ｂ及びＶ２方向へ向けた前記コンタクトガラス９４の隙間（原稿の通路）とが合致するよう配置されている。これにより，前記第２の画像読取り手段９を，Ｖ１方向に向けて停止させた状態において前記第１の搬送路Ｒ１を搬送中の原稿Ｓのうら面の画像を読み取ることができ，Ｖ２方向に向けて停止させた状態において前記第２の搬送路Ｒ２を搬送中の原稿Ｓのおもて面の画像を読み取ることができる（前期第２の画像読取りユニット９０が前記読取り位置移動手段の構成の一例）。
【００１７】
前記高速読取りモードに設定された場合は，前記第２の画像読取り手段９は，不図示の制御部により，前記第２の搬送路Ｒ２を搬送中の原稿Ｓのおもて面の画像を読み取る方向Ｖ１に向けられる。これにより，前記第１及び第２の搬送路Ｒ１，Ｒ２それぞれにおいて前記第１及び第２の画像読取り手段８，９により原稿Ｓのおもて面の画像を並行して読み取ることにより，１つの搬送路において１つの画像読取り手段で順次原稿の画像を読み取る場合の２倍近い速度での画像読取りが可能となる。さらに，稼働率が前記第１及び第２の画像読取り装置８，９それぞれに分散されるので，前記第１及び第２の画像読取り手段８，９全体としての長寿命化にもつながる。
また，前記両面読取りモードに設定された場合は，前記第２の画像読取り手段９は，前記第１の搬送路Ｒ１を搬送中の原稿Ｓのうら面の画像を読み取る方向Ｖ２に向けられる。これにより，前記第１及び第２の画像読取り手段８，９により前記第１の搬送路Ｒ１を搬送中の原稿Ｓのおもて面及びうら面の両面の画像を並行して読み取ることが可能となる。
本実施の形態では，原稿の搬送路が２つである場合について示したが，これに限るものでなく，同様の構成によりそれぞれ画像読取り手段が設けられた３つ以上の搬送路を設けたものも考えられる。これにより，より高速な画像読取りを行うことが可能となる。
【００１８】
【実施例】
次に，前記画像読取り装置Ｘの応用例である画像読取り装置Ｘ１について説明する。
本発明の実施例に係る画像読取り装置Ｘ１は，前記第２の画像読取り手段を，ガイドレールに沿わせて任意の搬送路へ移動可能とするとともに，原稿のうら面画像も読み取れるように前記画像読取り手段９を回転可能に構成したものである。以下，便宜上，画像読取り装置Ｘ１における前記画像読取り手段の図番は９’と表すが，それ自体は前記画像読取り手段９と同じものである。
図５は，画像読取り装置Ｘ１の概略断面を模式的に表した図である。図５に示すように，画像読取り装置Ｘ１の構成は，前記画像読取り手段９’の位置及びその移動範囲（移動機構）が異なる以外は，前記画像読取り装置Ｘと同じである。
【００１９】
以下，図６を用いて，前記第２の画像読取り手段９’の構成及び動作について説明する。図６は，画像読取り装置Ｘ１における前記第２の画像読取り手段及びその移動機構の概略断面を模式的に表したものであり，破線枠内は，前記第２の画像読取り手段を備えた第２の画像読取りユニット９０の部分のみを取り出して表したものである。但し，図４に対して反時計回りに９０°方向を変えて表されている。
画像読取り装置Ｘ１における前記第２の画像読取り手段９’は，原稿Ｓの案内手段である２つのガイド板９ａ，９ｂとともに第２の画像読取りユニット９０を構成している。この原稿Ｓの案内手段は，例えば，ガイドローラ等の他の手段により構成することも考えられる。
また，前記第２の画像読取り手段９’は，前記第２の画像読取りユニット９０内で，不図示のステッピングモータ等の駆動源によって所定の回転軸９５の回りに回転可能であり，前記ガイド板９ａ，９ｂそれぞれに向かう方向Ｖ１，Ｖ２と該第２の画像読取り手段９’におけるシェーディング補正を行う際に用いる例えば白色のシェーディング板１１（基準読取り濃度設定用の板）及び前記コンタクトガラス９４の清掃を行うクリーニング装置１２（クリーニング手段）に向かう方向Ｖ３に停止可能に構成されている。
これにより，前記第２の画像読取り手段９を，Ｖ１方向に向けて停止させた状態において前記ガイド板９ａと前記コンタクトガラス９４との間を通過する（搬送される）原稿Ｓの画像を読み取ることができ，Ｖ２方向に向けて停止させた状態において前記ガイド板９ｂと前記コンタクトガラス９４との間を通過する（搬送される）原稿Ｓの画像を読み取ることができる。
【００２０】
前記第２の画像読取りユニット９０は，前記第１及び第２の搬送路Ｒ１，Ｒ２それぞれに対して略直交する方向に配置されたガイドレール２０に支持されており，不図示のステッピングモータ等の駆動源によって該ガイドレール２０に沿って移動可能に構成されている（前記読取り位置移動手段の一例）。そして，前記第２の画像読取りユニット９０は，前記第１の搬送路Ｒ１と前記第１のガイド板９ａ及びＶ１方向へ向けた前記コンタクトガラス９４の隙間（原稿の通路）とが合致する位置である両面読み位置Ｐ３，前記シェーディング板１１に対向する位置であるシェーディング補正位置Ｐ４，前記クリーニング装置１２に対向する位置であるクリーニング位置Ｐ５，及び前記第２の搬送路Ｒ２と前記第２のガイド板９ｂ及び前記コンタクトガラス９４の隙間（原稿の通路）とが合致する位置である高速読み位置Ｐ６の各位置に停止可能に構成されている（即ち，前記シェーディング板１１及び前記クリーニング装置１２が前記第２の画像読取り手段９の移動経路に配置されている）。
本画像読取り装置Ｘでは，前記第２の画像読取りユニット９０の移動にステッピングモータを用い，所定の基準位置Ｐ１からの移動距離（ステップ数）によって前記各位置Ｐ３〜Ｐ６に位置決めされる。前記ガイドレール２０の一方の端部付近の前記基準位置Ｐ１には，前記第２の画像読取り手段９がその位置に存在するか否かを検出するユニット検出センサ１３が設けられており，該センサ１３によって前記基準位置Ｐ１の位置決めが行われる。
また，この基準位置Ｐ１は，前記第２の画像読取りユニット９０を，当該画像読取り装置Ｘから当該装置Ｘを分解することなく取り出し可能な位置としている。これにより，前記第２の画像読取り手段９を取り出してメンテナンスすることが容易となる。
【００２１】
前記高速読取りモードに設定された場合は，前記第２の画像読取りユニット９０は，前記高速読み位置Ｐ６に位置決めされるとともに，前記第２の画像読取り手段９がＶ２方向に向けられる。これにより，前記第２の搬送路Ｒ２を搬送中の原稿Ｓのおもて面の画像を読み取ることが可能となり，前記第１及び第２の搬送路Ｒ１，Ｒ２それぞれにおいて前記第１及び第２の画像読取り手段８，９により原稿Ｓのおもて面の画像を並行して読み取ることが可能となる。
また，前記両面読取りモードに設定された場合は，前記第２の画像読取りユニット９０は，前記両面読み位置Ｐ３に位置決めされるとともに，前記第２の画像読取り手段９がＶ１方向に向けられる。これにより，前記第１の搬送路Ｒ１を搬送中の原稿Ｓのうら面の画像を読み取ることが可能となり，前記第１及び第２の画像読取り手段８，９により前記第１の搬送路Ｒ１を搬送中の原稿Ｓのおもて面及びうら面の両面の画像を並行して読み取ることが可能となる。
また，起動時や所定の操作がなされた際等に，前記第２の画像読取り手段９のシェーディング補正を行う場合には，前記第２の画像読取りユニット９０は，前記シェーディング補正位置Ｐ４に位置決めされるとともに，前記第２の画像読取り手段９がＶ３方向に向けられる。同様に，前記コンタクトガラス９４の清掃を行う場合には，前記第２の画像読取りユニット９０は，前記クリーニング位置Ｐ５に位置決めされるとともに，前記第２の画像読取り手段９がＶ３方向に向けられる。
これにより，前記第２の画像読取り手段９が移動可能であることを利用して，前記第２の画像読取り手段９の清掃及びシェーディング補正を行うことが可能となる。
【００２２】
【発明の効果】
以上説明したように，本発明によれば，原稿分岐手段によってそれぞれ画像読取り手段が設けられた複数の搬送路への原稿の搬送経路が切り替えられるので，複数の画像読取り手段の稼働率の均等化が可能となる。
さらに，前記原稿分岐手段によって２以上の前記搬送路に前記原稿を順次導き，該２以上の搬送路それぞれにおいて前記原稿の画像を並行して読取り可能に構成すれば，前記画像読取り手段の数にほぼ比例して飛躍的な画像読取り速度の向上を図ることが可能となる。
また，画像読取り手段を他の搬送路を搬送中の原稿の読取り位置へ移動させることを可能に構成することにより，必要に応じて，１回の原稿の搬送でその原稿の両面から画像を読み取る両面読取りが可能となる。その結果，一般に利用頻度の低い原稿のうら面用の画像読取り手段（第２の画像読取り手段）をそれ専用に設ける必要がない。
【図面の簡単な説明】
【図１】本発明の実施の形態に係る画像読取り装置Ｘの概略断面を模式的に表した図。
【図２】本発明の実施の形態に係る画像読取り装置Ｘが具備する原稿供給手段の概略断面を模式的に表した図。
【図３】本発明の実施の形態に係る画像読取り装置Ｘが具備する原稿分岐手段の概略断面を模式的に表した図。
【図４】本発明の実施の形態に係る画像読取り装置Ｘが具備する第２の画像読取り手段の概略断面を模式的に表した図。
【図５】本発明の実施例に係る画像読取り装置Ｘ１の概略断面を模式的に表した図。
【図６】本発明の実施例に係る画像読取り装置Ｘ１における第２の画像読取り手段及びその移動機構の概略断面を模式的に表した図。
【符号の説明】
１…原稿トレイ
２…原稿供給手段
３…原稿分岐手段
４…搬送ローラ
５…原稿排出トレイ
６…原稿台
７…ガラス板
８…第１の画像読取り手段
９…第２の画像読取り手段
２０…ガイドレール
２１…回転ローラ
２２…エア給紙ベルト
２３…１次給紙ローラ
２４…ノズル
３１…可動式ガイド板
３２…ブラシローラ
３３…第１の２次給紙ローラ
３４…第２の２次給紙ローラ
９０…第２の画像読取りユニット
９１…光源
９２…結像レンズ９２
９３…ＣＣＤ
９４…コンタクトガラス
９ａ，９ｂ…ガイド板
Ｒ１…第１の搬送路
Ｒ２…第２の搬送路
Ｓ，Ｓ１，Ｓ２…原稿
【図１】
2004289668.tif 000003
【図２】
2004289668.tif 000004
【図３】
2004289668.tif 000005
【図４】
2004289668.tif 000006
【図５】
2004289668.tif 000007
【図６】
2004289668.tif 000008